(57)【要約】【課題】広い床面等であっても狭い床面であっても掃き掃除や擦り掃除等の適宜の掃除を好適に行うことができる新規な掃除用具を提供する。【解決手段】柄部２０と、該柄部２０の側方に延設され、複数のホウキまたはデッキブラシ（ホウキ等Ｈ）の柄を挟持する挟持部３０とを備えることを特徴とする掃除用具１０。また、前記挟持部３０は、前記柄部２０に、該柄部２０に対する延設角度が調節可能に組付けられていることを特徴とする掃除用具１０。また、前記挟持部３０は、前記柄部２０の一側方に延設されていることを特徴とする掃除用具１０。また、前記挟持部３０は、前記柄部２０の両側方に延設されていることを特徴とする掃除用具１０。【選択図】図１
2008272035.tif 000002
【特許請求の範囲】
【請求項１】
柄部と、
該柄部の側方に延設され、複数のホウキまたはデッキブラシの柄を挟持する挟持部と
を備えることを特徴とする掃除用具。
【請求項２】
前記挟持部は、前記柄部に、該柄部に対する延設角度が調節可能に組付けられていることを特徴とする請求項１に記載の掃除用具。
【請求項３】
前記挟持部は、前記柄部の一側方に延設されていることを特徴とする請求項１または請求項２に記載の掃除用具。
【請求項４】
前記挟持部は、前記柄部の両側方に延設されていることを特徴とする請求項１または請求項２に記載の掃除用具。
【発明の詳細な説明】
【技術分野】
【０００１】
本発明は、掃除用具に関するものであり、詳しくは、複数のホウキやデッキブラシを取付けて、全体で幅広のホウキやデッキブラシとして使用することができる掃除用具に関するものである。
【背景技術】
【０００２】
床面や地面（以下「床面等」という）を掃除する掃除用具として、床面等を掃き掃除するホウキや、床面等を擦り掃除するデッキブラシがある。
【０００３】
上記背景技術は、特に文献を挙げて例示するまでもない一般的事項である。
【発明の開示】
【発明が解決しようとする課題】
【０００４】
一般に市販されているホウキやデッキブラシ（以下「ホウキ等」という）は、幅が狭いものであり、広い床面等を掃除するのに適さない。ここで、広い床面等を良好に掃除できるようにするためには、幅広のホウキ等を特別に作成することを単に想定することができる。しかしながら、このような幅広のホウキ等は、広い床面等を掃除するための専用の道具であり、狭い床面等を掃除するには不適である。よって、広い床面等と狭い床面等の両方を掃除する場合には、幅広のホウキ等及び幅狭のホウキ等を個別に用意しなければならず、不便である。
【０００５】
本発明は、上記実状を鑑みてなされたものであり、広い床面等であっても狭い床面であっても掃き掃除や擦り掃除等の適宜の掃除を好適に行うことができる新規な掃除用具を提供することを課題とする。
【課題を解決するための手段】
【０００６】
上記課題を解決するために本発明の採った主要な手段は、
「柄部と、
該柄部の側方に延設され、複数のホウキまたはデッキブラシの柄を挟持する挟持部と
を備えることを特徴とする掃除用具。」
である。
【０００７】
上記のように構成された掃除用具によれば、挟持部に複数のホウキ等の柄を挟持させることで、全体で一つの幅広のホウキ等として使用することができ、広い床面等を好適に掃除することができる。一方、狭い床面等を掃除する場合には、挟持部に挟持されたホウキ等を取外して、単体の幅狭のホウキ等として使用すれば、狭い床面等も好適に掃除することができる。
【０００８】
上述した手段において、
「前記挟持部は、前記柄部に、該柄部に対する延設角度が調節可能に組付けられていることを特徴とする掃除用具。」
としてもよい。
【０００９】
柄部に対して挟持部の延設角度を調節可能とすることで、挟持部に挟持された複数のホウキ等に対して、使用に際して持ち手となる柄部の角度を適宜調節することができ、利便性を向上させることができる。
【００１０】
上述した手段において、
「前記挟持部は、前記柄部の一側方に延設されていることを特徴とする掃除用具。」
としてもよい。
【００１１】
一般的なホウキでは、柄の両側方に不均等に多数の毛が植設されており、床面等に対して柄を斜めに持って使用することで、掃き掃除がし易くなっている。
【００１２】
上記構成の掃除用具は、一般的なホウキと同様に掃き掃除を良好に行うことができるようにしたものであり、上記構成の掃除用具によれば、柄部の一側方に延設された挟持部に複数のホウキを挟持させることで、全体で、柄部の両側方に多数の毛が不均等に植設された幅広のホウキとすることができ、掃き掃除を良好に行うことができる。
【００１３】
上述した手段において、
「前記挟持部は、前記柄部の両側方に延設されていることを特徴とする掃除用具。」
としてもよい。
【００１４】
一般的なデッキブラシでは、柄の両側方に均等に多数のブラシが植設されており、床面等に対して柄を真っ直ぐな状態として、床面等にブラシ先を強く当てて前方に押したり後方に引いたりすることで、擦り掃除がし易くなっている。
【００１５】
上記構成の掃除用具は、一般的なデッキブラシと同様に擦り掃除を良好に行うことができるようにしたものであり、上記構成の掃除用具によれば、柄部の両側方に延設された挟持部に複数のデッキブラシを挟持させることで、全体で、柄部の両側方に多数のブラシが均等に植設された幅広のデッキブラシとすることができ、擦り掃除を良好に行うことができる。
【発明の効果】
【００１６】
上述した通り、本発明によれば、広い床面等であっても狭い床面であっても掃き掃除や擦り掃除等の適宜の掃除を好適に行うことができる新規な掃除用具を提供することができる。
【発明を実施するための最良の形態】
【００１７】
本発明に係る掃除用具の実施形態としての一例を、以下、図面に従って詳細に説明する。
【００１８】
図１に示すように、本例の掃除用具１０は、柄部２０と、挟持部３０と、補助挟持部４０と、支持棒５０とを具備するものとして構成されており、挟持部３０及び補助挟持部４０に、市販の一般的な複数のホウキ等Ｈ（図１ではホウキを示す）の柄を取外し可能に挟持させることで、複数のホウキ等Ｈ全体で、幅広の一つのホウキ等を形成することができ、広い床面等の掃除を好適に行うことができるものである。また、挟持部３０及び補助挟持部４０に挟持されたホウキ等Ｈを取外して個々のホウキ等Ｈとして使用することで、狭い床面等の掃除も好適に行うことができるものである。
【００１９】
なお、柄部２０、挟持部３０、補助挟持部４０及び支持棒５０は、夫々、ネジ止めによって、組付けの対象となる部材に組付けられている。具体的に、例えば図２に示すように、各部材のボルト挿通孔（図示しない）に挿通されたボルトＢと、このボルトＢに螺合されたナットＮとによって、組付けの対象となる部材に組付けられている。また、本例では、ナットＮとして、蝶ナットを採用しており、工具を必要とせずに、手でナットＮを締付けたり緩めたりすることができるようにしてある。
【００２０】
次に、掃除用具１０の各構成部材の詳細を説明する。
【００２１】
柄部２０は、手で把持可能なものであり、木製の長尺状の角材によって棒状に形成されている。
【００２２】
また、挟持部３０は、柄部２０を挟んで表裏一対となるように配設された木製の板状の挟持板３１により構成されており、一対の挟持板３１は、柄部２０の一側方に延設されるように、一端側にて、柄部２０の表裏にネジ止めされている。
【００２３】
また、補助挟持部４０も挟持部３０と同様に、柄部２０を挟んで表裏一対となるように配設された木製の板状の補助挟持板４１により構成されており、一対の補助挟持板４１は、柄部２０の一側方に延設されるように、一端側にて、柄部２０の表裏にネジ止めされている。
【００２４】
さらに、支持棒５０は、木製の板材から形成されている。この支持棒５０は、柄部２０の中間部分から、各挟持板３１の他端部分及び各補助挟持板４１の他端部分に架渡されて、柄部２０から延設された各挟持板３１及び各補助挟持板４１の強度を補強するものである。そして、支持棒５０の上端部分は、柄部２０の中間部分の表側にネジ止めされており、支持棒５０の下端部分は、表裏一対の挟持板３１の他端部分の間に配設されて、各挟持板３１にネジ止めされており、支持棒５０の中間部分は、表裏一対の補助挟持板４１の他端部分の間に配置されて、各補助挟持板４１にネジ止めされている。
【００２５】
このように構成された掃除用具１０では、図２に示すように、表裏一対の挟持板３１の間に複数のホウキ等Ｈの柄を挟み込んで、柄部２０及び支持棒５０に対して各挟持板３１をネジ止めするナットＮを締付けることで、各挟持板３１によって構成された挟持部３０に複数のホウキ等Ｈを取付けることができ、全体で幅広のホウキ等を形成することができる。また、図示は省略するが、表裏一対の補助挟持板４１により構成された補助挟持部４０も、挟持部３０と同様にホウキ等Ｈの柄を挟持するものであり、図１に示すように、挟持部３０にてホウキ等Ｈの柄の下部を挟持すると共に、補助挟持部４０にてホウキ等Ｈの柄の上部を挟持することで、掃除用具１０に複数のホウキ等Ｈを堅固に取付けることができる。
【００２６】
なお、図示省略するが、本例では、一対の挟持板３１の少なくとも一方（一方または両方）の内面や、一対の補助挟持板４１の少なくとも一方（一方または両方）の内面に、スポンジやゴム等の弾性材から形成されたシート状のパッドが貼着されており、ホウキ等Ｈの柄を適確に挟持固定できるようにしてある。
【００２７】
ところで、本例では、柄部２０において、支持棒５０をネジ止めするためのボルト挿通孔２１が、柄部２０の上下方向に、複数（本例では５個）、穿設されており、適宜のボルト挿通孔２１を用いて支持棒５０をネジ止めすることで、図３及び図４に示すように、柄部２０に対する挟持部３０及び補助挟持部４０の延設角度を、段階的に調節可能となっている。また、支持棒５０において、柄部２０にネジ止めするためのボルト挿通孔５１は、長孔状に形成されており、上記延設角度を、段階的なばかりでなく、連続的にも調節可能となっている。これにより、挟持部３０及び補助挟持部４０の延設角度を微調節することができる。
【００２８】
また、本例では、挟持部３０を構成する一対の挟持板３１において、柄部２０にネジ止めするためのボルト挿通孔３２及び支持棒５０にネジ止めするためのボルト挿通孔３３は、長孔状に形成されており、補助挟持部４０を構成する一対の挟持板４１において、支持棒５０にネジ止めするためのボルト挿通孔４２は、長孔状に形成されている。そして、これにより、図５に示すように、ホウキ等Ｈを挟持する挟持領域の幅寸法（挟持部３０における柄部２０と支持棒５０との間の寸法）が調節可能となっている。また、補助挟持部４０を用いない場合には、一端が柄部２０にネジ止めされた一対の補助挟持板４１の他端を、支持棒５０のボルト挿通孔５２を用いて支持棒５０にネジ止めすることをせず、柄部２０に設けられた仮止め孔２２（図１参照）を用いて柄部２０にネジ止めすることで、補助挟持部４０を柄部２０にコンパクトに納めて固定できるようにしてある。
【００２９】
図６に、本発明に係る掃除用具の別の例を示す。この掃除用具１０は、柄部２０の両側方に挟持部３０及び補助挟持部４０を延設したものである。そして、柄部２０の両側方に延出する挟持部３０及び補助挟持部４０は、柄部２０の両側に配設され、一方が上端部分において柄部２０の表側にネジ止めされ、他方が上端部分において柄部２０の裏側にネジ止めされた２本の支持棒５０によって強度が補強されている。また、挟持部３０及び補助挟持部４０は、柄部２０に対するネジ止め部分を中心に回動させることができるものであり、柄部２０に対する延設角度が調節可能となっている。なお、柄部２０、支持棒５０、挟持部３０及び補助挟持部４０の具体的な構造は、上述した図１に示したものと同様である。
【００３０】
このような掃除用具１０は、柄部２０の両側にホウキ等Ｈ（図６ではデッキブラシを示す）を取付けて、全体で幅広のホウキ等を形成することができるものであり、床面等に対して柄部２０を真っ直ぐにして、取付けた複数のホウキ等Ｈを床面等に強く押し付けることができるものである。よって、この掃除用具１０によれば、複数のデッキブラシを取付けることで、広い床面等の擦り掃除を良好に行うことができる。
【図面の簡単な説明】
【００３１】
【図１】本発明に係る掃除用具の一例を示す正面図である。
【図２】図１に示した掃除用具の底面図である。
【図３】挟持部の延設角度を調節した例を示す正面図である。
【図４】挟持部の延設角度を調節した別の例を示す正面図である。
【図５】挟持部の挟持領域を調節した例を示す正面図である。
【図６】本発明に係る掃除用具の別の例を示す正面図である。
【符号の説明】
【００３２】
Ｂ    ボルト
Ｈ    ホウキ等
Ｎ    ナット
１０  掃除用具
２０  柄部
２１  ボルト挿通孔
２２  仮止め孔
３０  挟持部
３１  挟持板
３２  ボルト挿通孔
３３  ボルト挿通孔
４０  補助挟持部
４１  補助挟持板
４２  ボルト挿通孔
５０  支持棒
５１  ボルト挿通孔
５２  ボルト挿通孔
【図１】
2008272035.tif 000003
【図２】
2008272035.tif 000004
【図３】
2008272035.tif 000005
【図４】
2008272035.tif 000006
【図５】
2008272035.tif 000007
【図６】
2008272035.tif 000008